(57)【要約】【課題】増幅装置のカード構成・機能部の制約を伴うことなく、また、運用中の増幅装置に何ら影響（サービス中断など）を与えることなく、増幅装置の追加又は変更を行なって、保守監視制御を円滑に行なうことができるようにすること。【解決手段】本発明の実施の形態に係る無線基地局装置では、増幅装置３と変復調装置１との間にセクタ毎に監視制御用のリンクを確立し、リンクを介してセクタ単位の監視制御を実施する。変復調装置１及びこれに接続される各セクタの増幅装置３にはそれぞれ通信を終端する送受信集約部１Ａ，３Ａが設けられ、各送受信集約部１Ａ，３Ａに集約された情報が各リンクに送受信集約部１Ａ，３Ａ間で送受信される。【選択図】図１
2010057063.tif 000002
【特許請求の範囲】
【請求項１】
増幅装置と変復調装置との間にセクタ毎に監視制御用のリンクを確立し、リンクを介してセクタ単位の監視制御を実施する無線基地局装置であって、前記変復調装置及びこれに接続される増幅装置には、それぞれ通信を終端する送受信集約部が設けられ、前記変復調装置の送受信集約部は、前記増幅装置の関連情報を、各リンクを介して取得すると共に、前記各リンクを介して増幅装置の監視制御を行うことを特徴とする無線基地局装置。
【請求項２】
前記変復調装置の各リンクに対応する送受信集約部はそれぞれ、当該リンクの切断時に、当該リンクに接続される増幅装置の情報をクリアすることを特徴とする請求項１に記載の無線基地局装置。
【請求項３】
前記変復調装置の送受信集約部は、その起動時のタイミングでリンク毎に増幅装置の関連情報を取得することを特徴とする請求項１又は請求項２に記載の無線基地局装置。
【請求項４】
前記変復調装置の各リンクに対応する送受信集約部はそれぞれ、当該リンクに接続される増幅装置との通信確立後、その起動中に、前記増幅装置の関連情報を取得することを特徴とする請求項３に記載の無線基地局装置。
【請求項５】
各増幅装置と変復調装置との間は、全リンクで共通のインターフェースを介して監視制御信号が送受信されることを特徴とする請求項１から請求項４のいずれかに記載の無線基地局装置。
【請求項６】
各増幅装置は、前記変復調装置と伝送ラインを介して遠隔に設置されていることを特徴とする請求項１から請求項５のいずれかに記載の無線基地局装置。
【請求項７】
増幅装置と変復調装置との間にセクタ毎に監視制御用のリンクを確立し、リンクを介してセクタ単位の監視制御を実施する監視制御方法であって、前記変復調装置において通信を終端する送受信集約部が、前記増幅装置の関連情報を、各リンクを介して取得すると共に、前記各リンクを介して増幅装置の監視制御を行うことを特徴とする監視制御方法。
【請求項８】
前記変復調装置の各リンクに対応する送受信集約部においてそれぞれ、当該リンクの切断時に、当該リンクに接続される増幅装置の情報をクリアすることを特徴とする請求項７に記載の監視制御方法。
【請求項９】
前記変復調装置の送受信集約部において、その起動時のタイミングでリンク毎に増幅装置の関連情報を取得することを特徴とする請求項７又は請求項８に記載の監視制御方法。
【請求項１０】
前記変復調装置の各リンクに対応する送受信集約部においてそれぞれ、当該リンクに接続される増幅装置との通信確立後、その起動中に、前記増幅装置の関連情報を取得することを特徴とする請求項９に記載の監視制御方法。
【請求項１１】
各増幅装置と変復調装置との間は、全リンクで共通のインターフェースを介して監視制御信号が送受信されることを特徴とする請求項７から請求項１０のいずれかに記載の監視制御方法。
【発明の詳細な説明】
【技術分野】
【０００１】
本発明は、変復調装置から光ファイバなどの伝送ラインを介して遠隔に設置された増幅装置を含む無線基地局装置及び監視制御方法に関する。
【背景技術】
【０００２】
近年、無線基地局装置の構成として、変復調装置（ＭＤＥ:Modulation  and  Demodulation  Equipment）から送信増幅装置（ＡＭＰ:AMPlifier）と光張出し送受信装置（ＯＦ−ＴＲＸ:Optical  Feeder  Transmitter  and  Receiver）とを遠隔設置し、ＭＤＥとＡＭＰ及びＯＦ−ＴＲＸとを光ファイバで接続する構成がある。ＡＭＰ部には、屋外受信増幅器（ＯＡＲＡ:Open  Air  Receiver  Amplifier）及び当該ＯＡＲＡ部を監視制御する屋外受信増幅器監視制御装置（ＯＡＲＡＳＣ:Open  Air  Receiver  Amplifier  Supervisory  Controller）が付随して設けられている。また、ＭＤＥ部からみて監視制御対象となる外部装置には、ＯＡＲＡ以外にも、電源設備、アンテナチルトの制御ＢＯＸ、メンテナンスツールなどが含まれる。
【０００３】
また、ＭＤＥ部、ＡＭＰ部、ＯＦ−ＴＲＸ部はそれぞれ様々な機能部を有しており、これらの各機能部は、ＣＰＵを搭載してソフトウェア処理を実行する基板状のハードウェア装置で構成され、このハードウェア装置はカードと呼ばれる（例えば、特許文献１参照）。
【０００４】
図５には、機能部としてのカードＡ，Ｂ，Ｃ，Ｄを複数枚実装して成る増幅装置１００の一例が示されている。この増幅装置１００は、いわばＡＭＰ部がＯＦ−ＴＲＸ部を組み込んだ形態を成すもので、光ファイバケーブル１０２を介してＭＤＥ部１０４に接続されている。
【特許文献１】特開２００８−１７２４５号公報
【発明の開示】
【発明が解決しようとする課題】
【０００５】
ところで、図６に示されるように、ＭＤＥ部１０４に対して遠隔設置される複数の増幅装置１００（以下、適宜、増幅装置Ａ，Ｂと称する）が光ファイバケーブル１０２を介して１つのＭＤＥ部１０４に接続されている状態で、新たな増幅装置１００（以下、適宜、増幅装置Ｃと称する）をＭＤＥ部１０４に対して光ファイバケーブル１０２を介して追加接続する場合、従来技術の下では、以下の問題が生じる。
【０００６】
すなわち、従来のシステムにおいて、ＭＤＥ部１０４は、事前に図６の上側の表枠に示されるような増幅装置Ａ，Ｂのカード構成や機能部などの情報（増幅装置の関連情報）を予め認識しており、これらの情報を前提に増幅装置Ａ，Ｂとの間で通信確立を行ない、当該カードＡ，Ｂ，Ｃ，Ｄの状態監視、制御を行なう。つまり、ＭＤＥ部１０４には、増幅装置Ａ，Ｂの種別、実装されるカードＡ，Ｂ，Ｃ，Ｄのスロット番号、実装されるカードＡ，Ｂ，Ｃ，Ｄの機能部（ＴＲＸ−ＩＮＦ：ＭＤＥ部との通信終端機能部、ＴＲＸ：送受信機能部、Ｔ−ＰＡ：送信増幅部、ＬＮＡ：低雑音増幅部、外部ＩＦ：外部装置類ＩＦ用カード（ＯＡＲＡ、ＰＣ類、地気入出力用ＩＦなど）など）、各機能部毎の障害項目などの情報が事前に投入されており、ＭＤＥ部１０４と増幅装置Ａ，Ｂとのリンク確立後にＭＤＥ部１０４が各カードＡ，Ｂ，Ｃ，Ｄの監視・制御を実施し、障害発生時には、機能部毎に適した制御が行なわれる。
【０００７】
ところが、このようにＭＤＥ部１０４が増幅装置Ａ，Ｂに対応した構造になっているこのシステムでは、予め認識しているデータに基づいてＭＤＥ部１０４が情報を増幅装置Ａ，Ｂから取得するため、新たな増幅装置Ｃを追加（又は変更）する場合には、追加するその増幅装置Ｃもこの既存のシステム構成に適合する形態のもの、例えば、増幅装置Ａ，Ｂと同一の製造メーカのものにする必要が生じたり、あるいは、増幅装置Ｃのカード構成（カード構造・冗長構成・スロット番号・機能部など）や機能部などにもある程度の制限を設ける（製造メーカに求めるカード構成などを制限する）など、何らかの制約が伴うだけでなく、増幅装置Ｃを使用できるようにＭＤＥ部１０４を再構成する必要もある。つまり、新規データ（情報更新）投入時にはそれを反映するための装置再開（リセット）を必要とするため、運用中の増幅装置Ａ，Ｂのサービスを一時中断する必要が生じる。また、このような問題は、図７に示されるように増幅装置Ａ，Ｂ，Ｃが異なる製造メーカのものである場合には、なおさら深刻である。
【０００８】
本発明は、かかる点に鑑みてなされたものであり、増幅装置のカード構成・機能部の制約を伴うことなく、また、運用中の増幅装置に何ら影響（サービス中断など）を与えることなく、増幅装置の追加又は変更を行なって、監視制御を円滑に行なうことができる無線基地局装置及び監視制御方法を提供することを目的とする。
【課題を解決するための手段】
【０００９】
本発明の無線基地局装置は、増幅装置と変復調装置との間にセクタ毎に監視制御用のリンクを確立し、リンクを介してセクタ単位の監視制御を実施する無線基地局装置であって、前記変復調装置及びこれに接続される増幅装置には、それぞれ通信を終端する送受信集約部が設けられ、前記変復調装置の送受信集約部は、前記増幅装置の関連情報を、各リンクを介して取得すると共に、前記各リンクを介して増幅装置の監視制御を行うことを特徴とする。
【００１０】
この構成によれば、変復調装置の送受信集約部は、各増幅装置の関連情報を、各リンクを介して取得するため、リンク同士が完全に独立し（他のリンクとの情報が独立する）、１つのリンクでの中断などの状態が他のリンクに影響を及ぼさない。また、リンク間での制約もない。したがって、増幅装置のカード構成・機能部の制約などを伴うことなく、また、運用中の増幅装置に何ら影響（サービス中断など）を与えることなく、増幅装置の追加又は変更を行なって、監視制御を円滑に行なうことが可能になる。
【００１１】
本発明の無線基地局装置においては、前記変復調装置の各リンクに対応する送受信集約部はそれぞれ、当該リンクの切断時に、当該リンクに接続される増幅装置の情報をクリアすることが好ましい。この構成によれば、既存の或いは前の増幅装置の情報に影響されることなく、最新情報を更新でき、新たな増幅装置の迅速且つ簡単な接続が可能になる。
【００１２】
本発明の無線基地局装置においては、前記変復調装置の送受信集約部は、その起動時のタイミングでリンク毎に増幅装置の関連情報を取得することが好ましい。この構成によれば、運用中のセクタに影響を与えず、増設セクタのサービスを迅速且つ簡単に行なうことができ、手間のかからない経済的な増設工事が可能になる。
【００１３】
本発明の無線基地局装置においては、前記変復調装置の各リンクに対応する送受信集約部はそれぞれ、当該リンクに接続される増幅装置との通信確立後、その起動中に、前記増幅装置の関連情報を取得することが好ましい。
【００１４】
本発明の無線基地局装置においては、各増幅装置と変復調装置との間は、全リンクで共通のインターフェースを介して監視制御信号が送受信されることが好ましい。
【００１５】
本発明の無線基地局装置においては、各増幅装置は、前記変復調装置と伝送ラインを介して遠隔に設置されていることが好ましい。
【００１６】
本発明の監視制御方法は、増幅装置と変復調装置との間にセクタ毎に監視制御用のリンクを確立し、リンクを介してセクタ単位の監視制御を実施する監視制御方法であって、前記変復調装置において通信を終端する送受信集約部が、前記増幅装置の関連情報を、各リンクを介して取得すると共に、前記各リンクを介して増幅装置の監視制御を行うことを特徴とする。
【００１７】
この方法によれば、変復調装置の送受信集約部は、各増幅装置の関連情報を、各リンクを介して取得するため、リンク同士が完全に独立し（他のリンクとの情報が独立する）、１つのリンクでの中断などの状態が他のリンクに影響を及ぼさない。また、リンク間での制約もない。したがって、増幅装置のカード構成・機能部の制約などを伴うことなく、また、運用中の増幅装置に何ら影響（サービス中断など）を与えることなく、増幅装置の追加又は変更を行なって、監視制御を円滑に行なうことが可能になる。
【００１８】
本発明の監視制御方法においては、前記変復調装置の各リンクに対応する送受信集約部においてそれぞれ、当該リンクの切断時に、当該リンクに接続される増幅装置の情報をクリアすることが好ましい。この方法によれば、既存の或いは前の増幅装置の情報に影響されることなく、最新情報を更新でき、新たな増幅装置の迅速且つ簡単な接続が可能になる。
【００１９】
本発明の監視制御方法においては、前記変復調装置の送受信集約部で、その起動時のタイミングでリンク毎に増幅装置の関連情報を取得することが好ましい。この方法によれば、運用中のセクタに影響を与えず、増設セクタのサービスを迅速且つ簡単に行なうことができ、手間のかからない経済的な増設工事が可能になる。
【００２０】
本発明の監視制御方法においては、前記変復調装置の各リンクに対応する送受信集約部においてそれぞれ、当該リンクに接続される増幅装置との通信確立後、その起動中に、前記増幅装置の関連情報を取得することが好ましい。
【００２１】
本発明の監視制御方法においては、各増幅装置と変復調装置との間は、全リンクで共通のインターフェースを介して監視制御信号が送受信されることが好ましい。
【発明の効果】
【００２２】
本発明によれば、各増幅装置の関連情報を、各リンクを介して取得するため、リンク同士が完全に独立し（他のリンクとの情報が独立する）、１つのリンクでの中断などの状態が他のリンクに影響を及ぼさない。また、リンク間での制約もない。したがって、増幅装置のカード構成・機能部の制約などを伴うことなく、また、運用中の増幅装置に何ら影響（サービス中断など）を与えることなく、増幅装置の追加又は変更を行なって、監視制御を円滑に行なうことが可能になる。
【発明を実施するための最良の形態】
【００２３】
以下、本発明の実施の形態について添付図面を参照して詳細に説明する。
図１は本発明の実施の形態に係る無線基地局装置を示す概念図である。この無線基地局装置は、ＭＤＥ部１と、ＭＤＥ部１から遠隔地に設置され且つＭＤＥ部１に伝送ラインである光ファイバケーブル２を介して接続される複数の増幅装置３（本実施の形態では、ＡＭＰ部がＯＦ−ＴＲＸ部を組み込んだ形態を成す）とを含む。この場合、増幅装置３は、機能部としてのカードを複数枚実装して成り、また、増幅装置３とＭＤＥ部１との間にセクタ毎に監視制御用のリンクが確立され、リンクを介してセクタ単位の監視制御が実施されるようになっている。また、変復調装置１及びこれに接続される各セクタの増幅装置３にはそれぞれ、通信を終端する送受信集約部（ＴＲＸ−ＩＮＦ）１Ａ，３Ａが設けられ、各送受信集約部１Ａ，３Ａに集約された情報が各リンクに送受信集約部１Ａ，３Ａ間で送受信されるようになっている。
【００２４】
ＭＤＥ部１は、監視制御部１１と、図示しないベースバンド信号処理機能部、呼処理制御機能部及び伝送路インターフェース機能部とを備えている。監視制御部１１は、増幅装置３の監視制御を実施する機能部である。
【００２５】
図２は増幅装置３の機能部構成を示す図である。増幅装置３は、送受信に伴う変復調を行う送受信機能部（ＴＲＸ）１３と、送受信機能部（ＴＲＸ）１３で変調された送信信号を増幅する増幅部（Ｔ−ＰＡ）１４と、送受信機能部（ＴＲＸ）１３に入出力する送受信信号を集約する送受信集約部（ＴＲＸ−ＩＮＦ）３Ａと、ＡＭＰ部単位で持つ機能部で構成される共通部１６とを備えている。ＡＭＰ部単位で持つ機能部には、外部装置とのインターフェースを持つ機能部、外部装置類の監視制御を行う機能部、さらに実装次第ではファイル類を格納する共通部のカードを含むこともできる。
【００２６】
増幅装置３は、送受信機能部（ＴＲＸ）１３、増幅部（Ｔ−ＰＡ）１４及び送受信集約部（ＴＲＸ−ＩＮＦ）３Ａで１セクタに対応可能である。各セクタに対応して設けられる増幅装置３の送受信集約部（ＴＲＸ−ＩＮＦ）３Ａは、それぞれ光ファイバケーブル２を介してＭＤＥ部１の対応する送受信集約部（ＴＲＸ−ＩＮＦ）１Ａに接続される。
【００２７】
増幅装置３にはＯＡＲＡ部１７及びＯＡＲＡＳＣ部１８が付随して設けられている。ＯＡＲＡ部１７は、送信側と受信側とを選択的にアンテナに接続するデュプレクサ（ＤＵＰ）１９と、アンテナで受信された受信信号を増幅する低雑音増幅器（ＬＮＡ：Low Noise Amplifier）２０とを備える。同図に示す例ではダイバーシチ受信用に２本のアンテナが設けられており、アンテナ毎にデュプレクサ（ＤＵＰ）１９と低雑音増幅器（ＬＮＡ）２０とが設けられている。ＯＡＲＡＳＣ部１８は、ＯＡＲＡ部１７を監視制御して監視制御信号を共通部１６経由でＭＤＥ部１へ送信する。本実施の形態では外部装置としてＯＡＲＡ部１７を例示しているが、ＯＡＲＡ以外にも、電源設備、アンテナチルトの制御ＢＯＸ、メンテナンスツールなども外部装置の概念に含むことができる。
【００２８】
図２には増幅装置の監視制御範囲を点線で示している。増幅装置３は、１セクタ（ここでは、セクタ＃１）に対応した機能部が１つの監視制御範囲に設定されている。また、共通部１６は１つの監視制御範囲として設定されている。ＭＤＥ部１との間には監視制御用のリンク３０−１を確立し、共通部１６はこのリンクを利用してＭＤＥ部１との間で監視制御信号を送受信する。
【００２９】
また、ＭＤＥ部１及び増幅装置３（ＡＭＰ部及びＯＦ−ＴＲＸ部）は、保守監視制御に関して共通のデータフォーマット及びシーケンスを定めた共通インターフェースをリンク単位で実装する。これにより、ＭＤＥ部１及び増幅装置３のベンダが異なる場合であっても、リンク単位で共通インターフェースを実装することで監視制御に関する通信は可能になる。
【００３０】
図３には、ＭＤＥ部１の送受信集約部（ＴＲＸ−ＩＮＦ機能部）１Ａ及び増幅装置３の送受信集約部（ＴＲＸ−ＩＮＦ機能部）３Ａの状態遷移図が示されている。図３の（ａ）に示されるように、ＭＤＥ部１の各リンクに対応する送受信集約部１Ａはそれぞれ、当該リンクの切断時に当該リンクに接続される増幅装置３の関連情報（装置構成）をクリアして新たな増幅装置との通信確立に備えるアイドル状態Ｓ１と、当該リンクに接続される新たな増幅装置との通信の確立を完了するための起動中状態Ｓ２と、起動後状態Ｓ３とから成る３つの状態を有しており、当該リンクに接続される新たな増幅装置との通信確立後、その起動中に（つまり、状態Ｓ２と状態Ｓ３との間に）、新たな増幅装置の情報を取得する（新たな増幅装置の情報収集を完了する）ようになっている（つまり、ＭＤＥ部１の送受信集約部は、その起動時のタイミングでリンク毎に増幅装置の情報を取得する）。なお、起動後状態Ｓ３の後、送受信集約部１Ａは、機能部に応じた各種制御（異常処理を含む）、例えば自律制御や上位からの制御などを行なう。また、起動中にリンクが切断されると、アイドル状態Ｓ１に戻る。
【００３１】
一方、増幅装置３の送受信集約部（ＴＲＸ−ＩＮＦ機能部）３Ａは、図３の（ｂ）に示されるように、当該リンクの切断時に新たなリンク接続に備えて待機するアイドル状態Ｓ１と、起動後状態Ｓ３とから成る２つの状態を有しており、アイドル状態Ｓ１と起動後状態Ｓ３との間でＭＤＥ部１との通信を確立する。
【００３２】
図４には、ＭＤＥ部１の送受信集約部１Ａ及び増幅装置３の送受信集約部３Ａの動作シーケンスが示されている。先にも説明したように、ＭＤＥ部１の送受信集約部１Ａは、起動中状態Ｓ２に入ると、通信が確立された新たな増幅装置の送受信集約部３Ａに対して装置構成情報の送出を促す（ステップ５０）。これにより、増幅装置３の送受信集約部３Ａは、当該増幅装置の装置構成情報をＭＤＥ部１の送受信集約部１Ａに対して与える（ステップ５２）。したがって、ＭＤＥ部１の送受信集約部１Ａが、増幅装置３の装置構成情報を取得する。
【００３３】
その後、ＭＤＥ部１の送受信集約部１Ａは、通信が確立された新たな増幅装置の送受信集約部３Ａに対してカードスロット情報の送出を促す（ステップ５４）。これにより、増幅装置３の送受信集約部３Ａは、当該装置のカードスロット情報をＭＤＥ部１の送受信集約部１Ａに対して与える（ステップ５６）。したがって、ＭＤＥ部１の送受信集約部１Ａが、増幅装置３のカードスロット情報を取得する。このカードスロット情報は、図４の右下側の表枠に記載される各種の情報要素を含み、これらの情報要素はその右側に記載される目的でＭＤＥ部１において利用される。
【００３４】
このようにしてカードスロット情報が得られると、ＭＤＥ部１の送受信集約部１Ａは、カード状態、すなわち取得スロット番号のカード状態（実装／未実装／ＡＣＴ（当該カードが正常動作可能（運用可能）な状態）／ＡＬＭ（警告状態）／ＥＲＲ（エラー状態）／ＢＬＫ（当該カードからの信号出力は行わないが、信号の入力や内部処理は実施しても良い状態）を取得し（ステップ５８）、増幅装置ＦＡＮ状態（異常／正常）を取得する（ステップ６０）とともに、ＭＴアドレス設定（増幅装置側に接続するＭＴ（メンテナンスツール）用のＰＣを接続可能とするためのＩＰアドレス設定）情報を得る（ステップ６２）。
【００３５】
このように、ＭＤＥ部１Ａが増幅装置３Ａから、カードスロット情報及びカード状態を取得するので、ＭＤＥ部１Ａが増幅装置３Ａにおいてどのカードにどの機能部が存在するのか、そのカードがどういう状態かなどを監視することができる。このような監視を行うことにより、ＭＤＥ部１Ａの自律の呼制御を可能とすることができる。
【００３６】
なお、本実施の形態においては、増幅装置の関連情報が、図４の右上側の表枠に記載される各種の情報要素を含む装置構成情報、カードスロット情報、カード状態情報、増幅装置ＦＡＮ状態情報、ＭＴアドレス設定情報である場合について説明していているが、本発明はこれに限定されず、増幅装置に関連する情報をＭＤＥ部１の主導の下に各リンクを介して取得する場合に適用することができる。なお、上記情報要素はその右側に記載される目的でＭＤＥ部１において利用される。また、以上の関連情報は、全て、所定のテーブル（このテーブルは、アイドル状態Ｓ１でクリアされる）に書き込まれる。また、図４の右上側の表枠におけるＯＰＳ表示とは、オペレーション上で見える表示を意味する。
【００３７】
このように、本実施の形態の無線基地局装置では、ＭＤＥ部１及びこれに接続される各セクタの増幅装置３にそれぞれ通信を終端する送受信集約部１Ａ，３Ａを設け、各送受信集約部１Ａ，３Ａに集約された情報が各リンクに送受信集約部１Ａ，３Ａ間で送受信されるため、リンク同士が完全に独立し（他のリンクとの情報が独立する）、１つのリンクでの中断などの状態が他のリンクに影響を及ぼさない。また、リンク間での制約もない。したがって、増幅装置３のカード構成・機能部の制約等を伴うことなく、また、運用中の増幅装置３に何ら影響（サービス中断など）を与えることなく、増幅装置３の追加又は変更を行なって、監視制御を円滑に行なうことが可能になる。また、従来実施している制御等も容易に可能である（様々なタイプの装置との接続実施形態でも上位の実装変更をしない）。
【００３８】
また、本実施の形態の無線基地局装置では、ＭＤＥ部１の各リンクに対応する送受信集約部１Ａがそれぞれ、当該リンクの切断時に、当該リンクに接続されていた増幅装置３の情報をクリアするようになっている。そのため、既存の或いは前の増幅装置３の情報に影響されることなく、最新情報を更新でき、新たな増幅装置３の迅速且つ簡単な接続が可能になる。
【００３９】
また、本実施の形態の無線基地局装置では、ＭＤＥ部１の送受信集約部１Ａが、その起動時のタイミングでリンク毎に増幅装置３の情報を取得するようになっている。具体的には、ＭＤＥ部１の各リンクに対応する送受信集約部１Ａがそれぞれ、当該リンクに接続される増幅装置３との通信確立後、その起動中に、増幅装置３の情報を取得するようになっている。そのため、運用中のセクタに影響を与えず、増設セクタのサービスを迅速且つ簡単に行なうことができ、手間のかからない経済的な増設工事が可能になる。
【００４０】
本発明は上記実施の形態に限定されず、種々変更して実施することが可能である。例えば、本発明の範囲を逸脱しない限りにおいて、上記説明における処理部の数、プロトコルスタック、増幅装置の関連情報の内容などについては適宜変更して実施することが可能である。その他、本発明の範囲を逸脱しないで適宜変更して実施することが可能である。
【産業上の利用可能性】
【００４１】
本発明は、変復調装置により増幅装置の監視制御を行なう無線基地局装置に適用可能である。
【図面の簡単な説明】
【００４２】
【図１】本発明の実施の形態に係る無線基地局装置を示す概念図である。
【図２】本発明の実施の形態に係る無線基地局装置における増幅装置の機能部構成を示す図である。
【図３】（ａ）はＭＤＥ部の送受信集約部の状態遷移図であり、（ｂ）は増幅装置の送受信集約部の状態遷移図である。
【図４】ＭＤＥ部の送受信集約部及び増幅装置の送受信集約部の動作シーケンスを示す図である。
【図５】無線基地局装置を示す概念図である。
【図６】無線基地局装置の構成例を示す図及び増幅装置のカード構成例を示す図である。
【図７】無線基地局装置における増幅装置のカード構成例を示す図である。
【符号の説明】
【００４３】
１  ＭＤＥ部
１Ａ  送受信集約部（ＴＲＸ−ＩＮＦ機能部）
２  光ファイバケーブル
３  増幅装置
３Ａ  送受信集約部（ＴＲＸ−ＩＮＦ機能部）
１１  監視制御部
【図１】
2010057063.tif 000003
【図２】
2010057063.tif 000004
【図３】
2010057063.tif 000005
【図４】
2010057063.tif 000006
【図５】
2010057063.tif 000007
【図６】
2010057063.tif 000008
【図７】
2010057063.tif 000009